(57)【要約】【目的】地下構造物用蓋体のロック装置として、破壊活動に耐え得るとともに、外部環境の影響を受けても作動不良が起こりにくく、優れた耐久性が発揮されるようにする。【構成】往復動可能なカンヌキ２１を有し、このカンヌキ２１を、蓋受け枠側の係合部１８に係合させて施錠し、係合から脱しさせて解錠するスライディングタンブラー錠２０を施錠手段とし、スライディングタンブラー錠２０はその鍵穴３０ｃ、３１ｃを、蓋体表面に設けた解錠口（１６）に向けて蓋体裏面に配設するとともに、スライディングタンブラー錠２０を外部環境から保護するために、解錠口（１６）を閉塞体５０により閉塞する。【選択図】        図３
2004324289.tif 000002
【特許請求の範囲】
【請求項１】
通信ケーブルなどを収用した地下構造物に対する破壊活動に耐え得る蓋体ロック装置であって、
往復動可能なカンヌキを有し、このカンヌキを、蓋受け枠側の係合部に係合させて施錠し、かつ係合から脱しさせて解錠するスライディングタンブラー錠を施錠手段とし、
スライディングタンブラー錠はその鍵穴を、蓋体表面に設けた解錠口に向けて蓋体裏面に配設するとともに、スライディングタンブラー錠を外部環境から保護するために、解錠口を閉塞体により閉塞して成る地下構造物用蓋体ロック装置。
【請求項２】
スライディングタンブラー錠は、往復移動して施錠または解錠するカンヌキと、
上記カンヌキに固着され、カム受け部および該カム受け部の両側にカム逃し部を有するカム受け部材（大アオリ）と
上記カム受け部材に固着されたツクと、
キーにより回転し、回転初期と回転終期には先端が上記カム受け部材のカム逃し部を通過し、回転中期には先端が上記カム受け部材のカム受け部を押圧するカム（ロッキングプレート）と、
上記カンヌキの移動方向と交わる方向に移動可能に支持され、上記カンヌキの移動方向に並ぶ一対のツク孔、該ツク孔を互いに連通するゲート孔及びキーが挿入される空所を有する複数のタンブラー板とを備えたタンブラー錠であって、
上記空所は中央部が弧状に削られて腹を形成しており、
該空所に挿入されたキーの回転初期には該空所の内縁が該キーのキザミに押圧され該タンブラー板が付勢力に抗して移動し、回転中期に該キザミは該タンブラー板を移動させることなく上記腹に沿って回転し、回転終期には該キザミが該空所の内縁から離反して、該タンブラー板が付勢力により元の位置に戻るようになっているとともに、
上記ゲート孔の位置は上記複数の各タンブラー板によって異なり、
上記キーの回転初期に上記タンブラー板が移動した時に全て上記ツクの位置と一致するようになっており、
上記各タンブラー板が相互に隙間を隔てて保持されることを特徴とするタンブラー錠である請求項１記載の地下構造物用蓋体ロック装置。
【請求項３】
上記のキーは、カンヌキの移動方向に対応する２箇所の回転位置で抜き差しできるように構成されている請求項２記載の地下構造物用蓋体ロック装置。
【請求項４】
上記のキーは、回転終期において、キーのキザミにより付勢力の作用方向に移動し、複数のタンブラー板を上記方向に押圧する強制下げタンブラーを設けた構成を有している請求項２又は３記載の地下構造物用蓋体ロック装置。
【請求項５】
閉塞体は、スライディングタンブラー錠側の鍵穴部分の周囲に設けられている雄ねじ部に螺合するもので、外周部分に、専用工具の係合部とのみ係合可能な相手係合部を有している請求項１記載の地下構造物用蓋体ロック装置。
【発明の詳細な説明】
【０００１】
【発明の属する技術分野】
本発明は、通信ケーブルなどを収用した地下構造物に対する破壊活動に耐え得る蓋体ロック装置に関するものである。
【０００２】
【従来の技術】
通信ケーブルなどを布設する地下構造物の蓋体は、破壊されると影響も甚大なものとなることが予測されるため、破壊活動防止の観点から、下水道用鉄蓋などに使用されている錠装置よりも不法開錠防止効果の高いシリンダー錠が採用されている。特開平１１−１０７３０４号、特開２００１−１４０５２０号などに、シリンダー錠によるロック装置の例が開示されている。
【０００３】
しかしこれらのロック装置には次のような問題がある。
ａ）シリンダー錠は精密に作られた内部機構を有するので、道路に設置されるマンホール蓋類の場合、土砂や水をかぶり、凍結時に散布される塩化カルシウム等の影響を蒙むり、作動不良を起こし易い。
ｂ）従来のロック装置は、蓋本体に設けられている施錠装置を操作させないためにシリンダー錠を設けており、施錠装置を操作するときにはシリンダー錠自体を抜き取る必要があり、面倒である上、汚損や紛失のおそれがあった。
ｃ）また、ｂ）の２段階ロック装置では、装置構造の全高が大きくならざるを得ないので、解錠後に蓋を開けるために蓋体を余計に持ち上げなければ枠体から出ず、作業性が良くない。また、ロック装置が蓋受け枠に当たりやすく、損傷の可能性が高い、という問題があった。
【０００４】
【発明が解決しようとする課題】
本発明は前記の点に着目してなされたもので、その課題は、道路に設置された地下構造物用蓋体のロック装置として、破壊活動に耐え得るとともに、外部環境の影響を受けても作動不良が起こりにくく、優れた耐久性が発揮されるようにすることである。また本発明の他の課題は、外部環境の影響から保護する閉塞体を併用することにより、２重の不法侵入防止対策が講じられるようにすることである。
【０００５】
【課題を解決するための手段】
前記の課題を解決するため本発明は、往復動可能なカンヌキを有し、このカンヌキを、蓋受け枠側の係合部に係合させて施錠し、係合から脱しさせて解錠するスライディングタンブラー錠を施錠手段とし、
スライディングタンブラー錠はその鍵穴を、蓋体表面に設けた解錠口に向けて蓋体裏面に配設するとともに、スライディングタンブラー錠を外部環境から保護するために、解錠口を閉塞体により閉塞するという手段を講じたものである。
【０００６】
従って、施錠手段として、本発明ではスライディングタンブラー錠を適用し、そのカンヌキの往復動によって施錠及び解錠を行なう。即ちカンヌキを、蓋受け枠側の係合部に係合させて施錠し（往動）、係合から脱しさせて解錠するようにする（復動）。カンヌキは、施錠状態では蓋体に外力が加えられても外れたり曲がったりしない強度を有することが望まれる。
【０００７】
このためのスライディングタンブラー錠としては、往復移動して施錠または開錠するカンヌキと、
上記カンヌキに固着され、カム受け部および該カム受け部の両側にカム逃し部を有するカム受け部材（大アオリ）と
上記カム受け部材に固着されたツクと、
キーにより回転し、回転初期と回転終期には先端が上記カム受け部材のカム逃し部を通過し、回転中期には先端が上記カム受け部材のカム受け部を押圧するカム（ロッキングプレート）と、
上記カンヌキの移動方向と交わる方向に移動可能に支持され、上記カンヌキの移動方向に並ぶ一対のツク孔、該ツク孔を互いに連通するゲート孔及びキーが挿入される空所を有する複数のタンブラー板とを備えたタンブラー錠であって、
上記空所は中央部が弧状に削られて腹を形成しており、
該空所に挿入されたキーの回転初期には該空所の内縁が該キーのキザミに押圧され該タンブラー板が付勢力に抗して移動し、回転中期に該キザミは該タンブラー板を移動させることなく上記腹に沿って回転し、回転終期には該キザミが該空所の内縁から離反して、該タンブラー板が付勢力により元の位置に戻るようになっているとともに、
上記ゲート孔の位置は上記複数の各タンブラー板によって異なり、
上記キーの回転初期に上記タンブラー板が移動した時に全て上記ツクの位置と一致するようになっており、
上記各タンブラー板が相互に隙間を隔てて保持されることを特徴とするタンブラー錠、
を適用することが最も望ましい。
【０００８】
上記構成を有するタンブラー錠では、各タンブラー板が相互に隙間を隔てて保持されるので、タンブラー板同士が面接触する場合に比べて、タンブラー板の作動が円滑かつ確実であり、故障しにくい。またタンブラー板間に隙間があるので、タンブラーばねとしてばね芯付きのコイルばねを用いることができ、板ばねに比べて、ばね相互の干渉の恐れが少なく、設計も容易である。
【０００９】
上記キーは上記カンヌキの移動方向に対応する２箇所の回転位置で抜差しできるよう構成することができる。このように構成されているので、キーを抜き取った後の鍵穴を見ることにより、タンブラー錠が施錠状態であるか、それとも解錠状態であるかを、一目で確認することができる。
【００１０】
また上記のキーは、回転終期において、キーのキザミにより付勢力の作用方向に移動し、複数のタンブラー板を上記方向に押圧する強制下げタンブラーを設けることができる。したがって、各タンブラー板に作用する付勢力が何等かの原因で不足する場合でも、施錠または解錠後、各タンブラー板を確実に正常の位置に戻すことができる。
【００１１】
そして、タンブラー錠を外部環境から保護するために、蓋体表面の解錠口を閉塞体により閉塞する。この閉塞体は、スライディングタンブラー錠側の鍵穴周囲に設けられたねじ部に螺合し、外周部分には、専用工具の係合部とのみ係合可能な相手係合部を有している。このため、専用工具無しでは閉塞体を取り外せないので、２重の不法侵入防止効果が期待される。
【００１２】
【発明の実施の形態】
以下、図示の実施形態により、本発明に係る地下構造物用蓋体ロック装置１０についてより詳細に説明する。図１において、１１は地下構造物の開口を形成する蓋受け枠、１２はその開口を閉じる蓋体を示している。蓋体１２は、図３に示すように蓋受け枠１１の蝶番受け１３に蝶番ピン１４によって蝶番結合されており、これと１８０度反対側の位置に本発明に係る蓋体ロック装置１０が設けられている。
【００１３】
本装置１０を設けるために、蓋体１２には、蓋体裏面に台状に出た取り付け台部１５が設けられ、その蓋体表面の方には台部１５に対応する凹部１６が解錠口として設けられている。本装置１０の施錠手段であるスライディングタンブラー錠２０は、鍵穴を有する部分を上記凹部１６に配置するようにして、取り付け台部１５に配設されており、ボルトで示された取り付け具１７によって蓋体１２に取り付けられている。上記スライディングタンブラー錠２０は、後述するようにして往復動可能なカンヌキ２１を有し、このカンヌキ２１を蓋受け枠側の係合部１８に係合させて施錠し（図４（ａ））、係合から脱しさせて解錠することができる（図４（ｂ））参照）。カンヌキ２１は、蓋体１２に不法に加えられる外力に耐える強度を有する。
【００１４】
前述のスライディングタンブラー錠は、コ字状断面の外ケース２２にリベット２２ａで固定された内ケース２３とカバー２４とから成る容器内に主要部が収納されている。カンヌキ２１にはカム受け部材（大アオリ）２６とツク２７とが夫々一体に設けられている（図５及び図６参照）。このカム受け部材２６がねじ２８（図６参照）によって、カンヌキ２１の前面に取り付けられる。カム受け部材２６の下部は上方へ深く切れ込んでカム受け部２６ａを形成しており、またこの切れ込み部の下端は八の字に開いてカム逃し部２６ｂを形成している。図１４等参照。
【００１５】
前記内ケース２３の外面に、外ケース２２及び図示しない扉体等を貫通して、前方に延びるパイプ２９が固着される。このパイプ２９の内部に前スリーブ３０が回転可能に配され、この前スリーブ３０の後端に前端が嵌合された後スリーブ３１の後端が、カバー２４によって回転可能に支持されている（図５）。なおパイプ２９の前端には、外周に雄ねじ部２９ａが加工される。
【００１６】
前スリーブ３０後端の平行切欠部３０ａと、後スリーブ３１前端の平行切欠部３１ａとは互いに嵌合して、前スリーブ３０と後スリーブ３１とは一体に回転する。また前スリーブ３０と後スリーブ３１の長手方向には、共通の鍵穴３０ｃ、３１ｃが形成されている（図７（ａ）、（ｂ））。
【００１７】
後スリーブ３１には、後部にも平行切欠部３１ｂが形成されていて、この平行切欠部３１ｂに、図８に形状が示されるカム（ロッキングプレート）３２が取付けられ、後スリーブ３１と一体に回転するようになっている。そしてそのカム
３２が後方（図５で下方）へ移動するのを阻止するために、カラー３３が配置される。またカム３２の回転を制限するためカムストッパー３４が設けられてい
る。これにより、カム３２だけでなく、前スリーブ３０、後スリーブ３１も回転角度１８０°の範囲に制限される。
【００１８】
図９にタンブラー板３５の形状を示す。このタンブラー板３５の下部には、上辺中央が上方に弧状に削られて腹３５ｆを形成する長方形の角孔（空所）３５ａが設けられている。また中央部には、左右１対のツク孔３５ｂ、３５ｂと、それらツク孔３５ｂを互いに連通するゲート孔３５ｃが設けられている。更に上端には、後述のタンブラーばね３７とそのばね芯３８が挿入されるばね受けスリット３５ｄと、後述の強制下げピン４１が当接するピン受け肩３５ｅが設けられる。このタンブラー板３５は、ゲート孔３５ｃの高さ位置Ｈの異なるものが複数枚（図示例では５枚）用意される。
【００１９】
図１０はタンブラー保持ピン３６を示す。このタンブラー保持ピン３６の側面には、タンブラー板等の厚さに相応する幅の円周溝３６ａが複数条（図示例では６条）設けられている。また頭部には、メネジ孔３６ｂが設けられている。
【００２０】
このタンブラー保持ピン３６の先端部（図１０（ａ）で右端）が、内ケース２３の左右端部の上下合計４箇所にカシメまたはネジ止めによって取付けられる。そして、前記複数枚のタンブラー板３５の左右両縁がタンブラー保持ピン３６の円周溝３６ａに挿入されて、互いに間隙を保ちつつ、上下方向に摺動自在に保持される（図５参照）。また、内ケース２３の側壁部に設けられた小孔に先端が挿入されたばね芯３８の下部がタンブラー板３５のばね受けスリット３５ｄに挿入され、タンブラーばねとしてコイルばね３７が嵌挿されて、タンブラー板３５を常時図９の下方へ向けて付勢している。そして、前記カンヌキ２１に取付けられたカム受け部材２６のツク２７が全てのタンブラー板３５の一方のツク孔３５ｄに、前記後スリーブ３１の円筒部３１の円筒部３１ｄが全てのタンブラー板３５の角孔３５ａに、それぞれ挿入されている。なお、前記カムストッパー３４は、これらタンブラー保持ピン３６のうち下の２本の後部（図１０（ａ）の左部）に取付けられる。
【００２１】
図１１は、強制下げタンブラー４０を示す。この強制下げタンブラー４０は板状で、厚さは前記タンブラー板３５と等しく、その下部には、下半部の幅が前記後スリーブ３１のフランジ部３１ｅ外径に相応し、下端は円弧状、上半部は幅が急に広くなって肩部４０ｂを形成し、上端が大きな円弧状を呈する後スリーブ挿入孔４０ａが設けられている。また上端には、前記タンブラー板３５と同様、タンブラーばね３７とそのばね芯３８が挿入されるばね受けスリット４０ｃが設けられる。更に右上端部には、前記タンブラー板３５のピン受け肩３５ｅに当接する強制下げピン４１が固着されている。４０ｄは重量軽減のための角孔である。
【００２２】
この強制下げタンブラー４０は、前記タンブラー板３５と同様に、左右両縁がタンブラー保持ピン３６の円周溝３６ａに挿入されて、タンブラー板３５とは間隙を保ちつつ、上下方向に摺動自在に保持される（図５参照。）。そして、後スリーブ挿入孔４０ａに前記後スリーブ３１の円筒部３１ｄが挿入される。また前記タンブラー板３５と同様に、ばね受けスリット４０ｃに挿入・嵌挿されたタンブラーばね３７とばね芯３８によって、常時作用方向へ付勢されている。
【００２３】
図１２は本発明装置１０において、タンブラー錠を施錠及び解錠するキー４３を示す。このキー４３は板状で、側面にも溝も凹みも設けられていない。４３ａはキーの回転軸線、４３ｂは各タンブラー板３５に相応して角孔３５ａ上縁に当接するキザミ、４３ｃは強制下げタンブラー４０の後スリーブ挿入孔４０ａ内面の肩部４０ｂに当接するキザミである。また４３ｄは後述のパイプ２９の内向きフランジ２９ａに係合する切込みである。
【００２４】
図１３は、本実施形態のタンブラー錠の正面図の一部で、前記前スリーブ３０を内装するパイプ２９を外面から見ている（図５参照。）。ただしキャップは取外されている。パイプ２９には、前端に内向きフランジ２９ａが設けられていて前スリーブ３０の脱落を阻止するとともに、キー４３の切込み４３ｄと係合してキーの長手方向位置を確定し、その回転を円滑にする。すなわち、キーが回転途中で抜けたり、充分差込まれていない状態で廻ったりしないようになっている。この内向きフランジ２９ａには左右２箇所に切欠２９ｂが設けられていて、キー４３はこの切欠２９ｂの位置で抜き差しすることができる。すなわち、キー４３を抜いた後に、前スリーブ３０の鍵穴３０ｃは１８０°回転した左右いずれかを向いている。
【００２５】
上記のようなタンブラー錠２０を操作する場合、キャップを取外しパイプ２９の一方の切欠２９ｂから前スリーブ３０、後スリーブ３１の鍵穴３０ｃ、３１ｃにキー４３を一番奥まで挿入する。このとき、キー４３の各キザミ４３ｂは各タンブラー板３５の位置、キザミ４３ｃは強制下げタンブラー４０の位置、切込み４３ｄはパイプ２９の内向きフランジ２９ａの位置、に来る。このようにパイプ２９の内向きフランジ２９ａの位置にキー４３の切込み４３ｄが来ているので、内向きフランジ２９ａと切込み４３ｄとが係合した状態で、キー４３を廻すことができる（図１４参照。）。
【００２６】
キー４３が回転すると、まず各タンブラー板３５の角孔３５ａ上辺に当接するキザミ４３ｂによりタンブラー板３５が押し動かされ、各タンブラー板３５のゲート孔３５ｃがすべてカム受け部材２６に固定されているツク２７と同じ高さになる。一方、キー４３の回転により後スリーブ３１が同じ角度だけ回転し、後スリーブ３１の平行切欠部３１ｂに取付けられたカム３２が、後スリーブ３１と一体に回転する。そしてカム３２の先端３２ａがカム受け部材２６の一方のカム逃し部２６ｂに沿って上昇する（図１５参照。）。
【００２７】
キー４３を更に廻すと、カム３２の先端３２ａがカム受け部材２６のカム受け部２６ａに当接して、カム受け部材（大アオリ）２６を側方へ押圧する。この時タンブラー板３５の位置では、キー４３のキザミ４３ｂがタンブラー板３５の角孔３５ａの上辺中央に形成された弧状の腹３５ｆに沿って回転するので、タンブラー板３５は上下運動しない。そして各タンブラー板３５のゲート孔３５ｃがすべてカム受け部材２６に固定されたツク２７と同じ高さになっているので、ツク２７は各タンブラー板３５のゲート孔３５ｃを左右方向に通過することができ、したがってカム３２の先端３２ａにより押圧されたカム受け部材２６は側方に移動する（図１６参照。）。こうしてカンヌキ２１が側方に移動して、施錠状態から解錠状態へ、また解錠状態から施錠状態へ移行する。このときツク２７は各タンブラー板３５の他方のツク孔３５ｂ内に達している（図１７参照。）。
【００２８】
キー４３が更に回転すると、カム３２の先端３２ａはカム受け部材２６のカム受け部２６ａを外れ、他方のカム逃がし部２６ｂに沿って下降するので、カム受け部材２６もカンヌキ２１もそれ以上側方へ移動することはない。またキー４３のキザミ４３ｂはタンブラー板３５の角孔３５ａの上辺中央の弧状の腹３５ｆを外れて下方へ離反してゆくので、それを追うように、タンブラー板３５はタンブラーばね３７の付勢力によって下方へ移動し、角孔３５ａの上縁の弧状の腹３５ｆが後スリーブ３１の円筒部３１ｄに当接するようになる。そしてキー４３が挿入位置から１８０°回転すると、パイプ２９の他方の切欠２９ｂからキー４３を引き抜くことができる。またこのとき、各タンブラー板３５のゲート孔３５ｃの高さ位置がまちまちになって、ツク２７の通過を許さないから、カンヌキ２８は側方へ移動することはできず、施錠状態または解錠状態が維持される（図１８参照。）。
【００２９】
図１９ないし図２２を参照して強制下げタンブラー４０の作用について説明する。施錠状態または解錠状態でキー４３を鍵穴３０ｃ、３１ｃに挿入した時、キー４３の側面は水平を向いていて、強制下げタンブラー４０の後スリーブ挿入孔４０ａの一方肩部４０ｂの上に横たわった状態になっている（図１９参照。）。
【００３０】
ここでキー４３を廻すと、キー４３のキザミ４３ｃは後スリーブ挿入孔４０ａ上部の大きな円弧に沿って回転するが、このときキー４３のキザミ４３ｂはタンブラー板３５の角孔３５ａ上面に当接してタンブラー板３５を持ち上げつつあ
り、タンブラー板３５のピン受け肩３５ｅに当接した強制下げピン４１を介し
て、強制下げタンブラー４０もタンブラーばね３７の下向き付勢力に抗して押し返されるから、後スリーブ挿入孔４０ａ内に挿入された後スリーブ３１の平行切込部３１ａは、後スリーブ挿入孔４０ａの幅の狭い下半部に若干進入することになる（図２０、図２１参照。）。
【００３１】
キー４３が挿入位置から１８０°回転すると、キー４３のキザミ４３ｃが後スリーブ挿入孔４０ａの他方の肩部４０ｂに当接し、強制下げタンブラー４０は強制的に押し下げられる（図２２参照。）。すると各タンブラー板３５のばね受けスリット３５ｄに嵌装されたタンブラーばね３７の付勢力が何等かの原因で不足しても、各タンブラー板３５は確実に下方へ移動し、角孔３５ａの上縁腹３５ｆが後スリーブ３１の円筒部３１ｄに当接する状態になる。
【００３２】
こうして施錠状態または解錠状態においては、キー４３の側面は水平になり、後スリーブ挿入孔４０ａの肩部４０ｂの上に横たわった状態となる（図２３参
照。）。そこでキー４３をパイプ２９の他方の切欠２９ｂから引抜くことができるようになる。
【００３３】
本実施形態のタンブラー錠２０においては、各タンブラー板３５がタンブラー保持ピン３６の円周溝３６ａに摺動自在に支持されており、タンブラー板３５相互間に一定の隙間が保たれているので、従来のようにタンブラー板３５同士が面接触する場合に比べて、タンブラー板３５の作動が円滑かつ確実であり、故障が少ない。したがって、多く塵埃や泥・土砂、更には融雪剤にまで曝されるマンホールの錠にも適用することができる。またタンブラー板３５間に隙間があるので、タンブラーばねとしてばね芯１８付きのコイルばね１７を用いることができ、従来の板ばねと比較して、ばね相互の干渉のおそれが少なく、設計の自由度も大きい。
【００３４】
本実施形態ではまた、前スリーブ３０を包み込むパイプ２９の内向きフランジ２９ａの１８０°回った２箇所に切欠２９ｂが設けられており、施錠状態または解錠状態において、この切欠２９ｂからキー４３を抜き取ることができるので、キー４３を抜き取った後の鍵穴３０ｃを眼で見ることにより、タンブラー錠２０が施錠状態であるか、解錠状態であるかを一目で確認することができる。タンブラー錠２０をマンホールの錠に適用する場合、重いマンホールの蓋体１２を施錠確認のため通常の扉のように揺することは困難であるから、このことは特に重要である。
【００３５】
また本実施形態では、強制下げタンブラー４０が配設され、キー４３の回転によって強制下げタンブラー４０を、更に強制下げピン４１を介して各タンブラー板３５を、各タンブラーばね３７の開放方向（付勢方向）へ強制的に動かすので、各タンブラーばね３７の付勢力が何等かの原因で不足しても、各タンブラー板３５は確実に移動し、正常の位置に戻る。
【００３６】
更に本実施形態では、パイプ２９の前端に内向きフランジ２９ａが設けられているので、前スリーブ３０の脱落が阻止されるばかりでなく、キー４３の切込み４３ｄをこの内向きフランジ２９ａと係合させることにより、キー４３の回転途中や抜けやキー４３の半差し状態での回転を防止することができる。
【００３７】
このような、スライディングタンブラー錠２０はその鍵穴部分を凹部１６に配置した状態で設置されており、これを外部環境から保護する閉塞体５０で覆われている。実施形態において、閉塞体５０は、鍵穴部分周囲の雄ねじ部２９ｃに螺合する雌ねじ部５１ｃを有する金属製の内キャップ５１と、この内キャップ５１の外側に一体に嵌着されている外キャップ５２とから成り、閉塞体５０と蓋体凹部底との間にはパッキング５３が設けられている（図２（ｄ））。凹部１６の内壁と外キャップ５２の外周との間は、指先も差し込めない狭い隙間とすることが望ましい。
【００３８】
内キャップ５１のフランジ部には、専用工具５５の係合部５６とのみ係合可能な相手係合部５４が設けられている。例示の専用工具５５は先端に数個の突起を係合部５６として設け、内キャップに係合相手５４として設けた係合凹溝に係合させ、軸端のハンドル５７を操作して内キャップ５１の締め緩め作業を行なう。閉塞体５０によりスライディングタンブラー錠２０の鍵穴部を覆っている状態では、図１ないし図４に示されているように、バールやドライバーのような工具類を差し込める余地がなく、従って不法進入防止効果を期待することができる第１段階となる。なお、内キャップ５１は、専用工具５５の冠状凹部５９に嵌まり込む。
【００３９】
地下構造物の蓋体１２を開くためには、従って上記の専用工具５５のみを用いて、まず閉塞体５０の外キャップ５２を取り外し、次に専用工具５５を用いて内キャップ５１を緩めて取り外し、その後、共通の鍵穴３０ｃ、３１ｃにキー４３を差し込んで前述のように回転させ、図４（ａ）の施錠状態から図４（ｂ）の解錠状態にする。解錠状態になると、カンヌキ２１は蓋受け枠内周に設けられていて、内方へ突出する内向きフランジ状の部分を利用した係合部１８よりも内方へ後退し、蓋体１２を持ち上げれば蓋受け枠１１の開口を開放することができる状態となるが、これは一般の開蓋作業と変わるところはない。閉塞体５０によってパッキング５３が締め付けられた状態にあるために、外部環境から蓋体ロック装置１０が効果的に保護される。
【００４０】
また本発明に係る蓋体ロック装置１０は、全高が従来の類似装置よりも低いため、解錠後蓋体１２を開ける際蓋受け枠１１に接触しにくい。しかし、接触するような状態でもスライディングタンブラー錠２０は頑丈な外ケース２２で保護
されているため衝撃に対しても十分に強く、損傷のおそれはまずない。
【００４１】
【発明の効果】
本発明は以上の如く構成されかつ作用するものであるから、道路に設置されている地下構造物用蓋体のロック装置として非常に満足すべき耐久性を発揮し、外部環境の影響を受けても作動不良を起こすおそれがん殆んどない。また本発明のものはスライディングタンブラー錠から成る施錠手段を具備するとともに、その鍵穴部を閉塞体により外部環境から保護する構成をも有しているので、２重の不法侵入防止効果を発揮する。
【図面の簡単な説明】
【図１】（ａ）本発明に係る蓋体ロック装置を適用した地下構造物の平面図。
（ｂ）専用工具を示す正面図。
【図２】（ａ）専用工具の要部拡大図。
（ｂ）同じく下面図。
（ｃ）内キャップの上面図。
（ｄ）閉塞体を取り付けた鍵穴部周囲の断面図。
【図３】本発明装置を含む地下構造物上部構造の断面図。
【図４】（ａ）蓋体ロック装置の施錠状態を示す断面図。
（ｂ）同じく解錠状態を示す断面図。
【図５】本発明の一実施形態の構造を示す図６のＶ−Ｖ線側面図。
【図６】図５のカバーを取外して左方から見た背面図。
【図７】（ａ）前スリーブを示す平面図、側面図及び背面図。
（ｂ）後スリーブを示す正面図、側面図及び背面図。
【図８】カム（ロッキングプレート）の形状を示す正面図。
【図９】タンブラー板の形状を示す正面図。
【図１０】タンブラー保持ピン１６を示す図で、（ａ）は側面図、（ｂ）は頭側（ａ）の左方から見た図、（ｃ）は先端側（ａ）の右方から見た図。
【図１１】（ａ）強制下げタンブラーを示す背面図。
（ｂ）は側面図。
【図１２】本実施形態のタンブラー錠を施錠、解錠するキーの側面図。
【図１３】本実施形態の下部正面図で、パイプの前面を示す。
【図１４】図１４ないし図１８は施錠、解錠時におけるキー及びカムの回転とタンブラー板、ツク、カム受け部材およびカンヌキの動きとの関係を説明する一連の図であって、図１４はその第１段階を示す。
【図１５】同じく第２段階を示す説明図。
【図１６】同じく第３段階を示す説明図。
【図１７】同じく第４段階を示す説明図。
【図１８】同じく第５段階を示す説明図。
【図１９】図１９ないし図２３は施錠、解錠時におけるキーの回転と強制下げタンブラー及びタンブラー板の動きとの関係を説明する一連の図であって、図１９はその第１段階を示す。
【図２０】同じく第２段階を示す説明図。
【図２１】同じく第３段階を示す説明図。
【図２２】同じく第４段階を示す説明図。
【図２３】同じく第５段階を示す説明図。
【符号の説明】
１０  本発明の実施形態に係る蓋体ロック装置
１１  蓋受け枠
１２  蓋体
１６  凹部
１８  係合部
２０  タンブラー錠
２１  カンヌキ
２６  カム受け部材
２７  ツク
３０  前スリーブ
３１  後スリーブ
３２  カム
３５  タンブラー板
４３  キー
５０  閉塞体
５１  内キャップ
５２  外キャップ
【図１】
2004324289.tif 000003
【図２】
2004324289.tif 000004
【図３】
2004324289.tif 000005
【図４】
2004324289.tif 000006
【図５】
2004324289.tif 000007
【図６】
2004324289.tif 000008
【図７】
2004324289.tif 000009
【図８】
2004324289.tif 000010
【図９】
2004324289.tif 000011
【図１０】
2004324289.tif 000012
【図１１】
2004324289.tif 000013
【図１２】
2004324289.tif 000014
【図１３】
2004324289.tif 000015
【図１４】
2004324289.tif 000016
【図１５】
2004324289.tif 000017
【図１６】
2004324289.tif 000018
【図１７】
2004324289.tif 000019
【図１８】
2004324289.tif 000020
【図１９】
2004324289.tif 000021
【図２０】
2004324289.tif 000022
【図２１】
2004324289.tif 000023
【図２２】
2004324289.tif 000024
【図２３】
2004324289.tif 000025